(57)【特許請求の範囲】
【請求項１】
ホタテ採取用漁具の本体にアームを取り付ける連結具であって、連結具の円筒状筐体の内側面には軸方向に平行に一本又は複数本のガイドレールが設けられており、該筐体の後面中央には大開口が開設され、該大開口を通して、該筐体内に収容される圧縮コイルバネ内をアームの屈曲端部が挿通されて、圧縮コイルバネの他端面に面接する上記ガイドレールに対応したガイドレール溝が設けられた座板の小開口に屈曲端部が挿通され、該端部を結合ブロックを介して座板に対して回動不能に緊締固定することにより、ホタテ採取操業時にアームから座板を介して加えられる加重に応じて生じる圧縮コイルバネのバネ応力により、アーム軸が弾撥揺動可能としたことを特徴とするホタテ採取用漁具のアーム連結具。
【発明の詳細な説明】
【技術分野】
【０００１】
本発明は海底の砂地に生息するホタテ貝を複数設けられた爪により掻き起こして後方に配置した捕獲網中に採取するホタテ採取用漁具に関し、詳しくは漁具本体と先端に爪を有するアームを連結する連結具に関する。
【背景技術】
【０００２】
ホタテ採取用漁具によるホタテ貝の採取は、複数の爪により海底面を掻き起こして浮遊したホタテ貝を後方に設けた網中に採取する底引き漁法の一つであるが、海底の複雑な地形に追随するため、又、爪による貝へ衝撃を緩和するため、先端に爪を有するアームが漁具本体に対して弾発揺動可能とする連結手段を有している（特許文献１，２）。
【０００３】
しかし、これらの文献に記載された発明においては、その揺動の方向は上下（すなわち海底面から垂直方向、以下同じ）に限られている。このように揺動方向を限定する技術的な理由は、左右の揺動があると、隣り合う爪等が接触衝突することにより破損するという問題が生じてしまうからである。
したがって、これら先行技術は積極的に左右の揺動を防止し（特許文献１の段落００１４）、あるいは上下動のみ可能とする構造を採用して（特許文献２の段落００１２）これらの問題点を回避している。
【特許文献１】特開２００２−１７２０５
【特許文献２】特開２００１−２９９１４３
【発明の開示】
【発明が解決しようとする課題】
【０００４】
しかしながら、本発明者が実際にホタテ漁を営む漁師から聞き取りをしたところ、海底の地形は複雑であり、漁具を海底に沿って引張る場合、上下動のみの揺動では海底の岩などの強固な突起物に係止した場合に過度の負荷が掛り、爪やアームあるいはコイルバネ等が破損するという問題点があり、むしろある程度左右に揺動可能として障害物を左右に避け得る構造とすることがこれらの破損を防止することができて好ましいとの回答を得た。
【０００５】
又、特許文献１に記載されているたわみ継ぎ手を用いる手段、特に漁業現場で多く実施されている密着コイルバネによる手段においては、密着コイルバネとアーム及び漁具本体とを強固に接続する必要があるため結合手段として溶接を用いていた。しかし、溶接により各部材間の接合を行うと、破損した密着コイルバネを船上において迅速に交換することができず、結果として採取効率の低下につながっていた。
【課題を解決するための手段】
【０００６】
本発明は上記の課題を解決するためになされたものであり、以下の構成を採用した。
（１）ホタテ採取用漁具の本体にアームを取り付ける連結具であって、連結具の円筒状筐体の内側面には軸方向に平行に一本又は複数本のガイドレールが設けられており、該筐体の後面中央には大開口が開設され、該大開口を通して、該筐体内に収容される圧縮コイルバネ内をアームの屈曲端部が挿通されて、圧縮コイルバネの他端面に面接する上記ガイドレールに対応したガイドレール溝が設けられた座板の小開口に屈曲端部が挿通され、該屈曲端部を結合ブロックを介して座板に対して回動不能に緊締固定することにより、ホタテ採取操業時にアームから座板を介して加えられる加重に応じて生じる圧縮コイルバネのバネ応力により、アーム軸が弾撥揺動可能としたことを特徴とするホタテ採取用漁具のアーム連結具である。
この第一の発明においては、アーム軸が挿通される筐体後面の大開口は、その形状がアーム軸の揺動範囲を規制するものであり、上下方向には特に制限はないが、左右方向には小さな揺動になるような形状とされることが好ましい。
【０００７】
（２）ホタテ採取用漁具の本体にアームを取り付ける連結具であって、該連結具が二枚の基板間に２本以上の高剛性金属ワイヤーを固定保持したものであり、後部基板の中央に設けられた小開口にアーム屈曲端部が外方より挿通され、該屈曲端部を結合ブロックを介して後部基板に対して回動不能に緊締固定することにより、ホタテ採取操業時にアームから後部基板を介して加えられる引張力に応じて生じるワイヤーの応力により、アーム軸が弾撥揺動可能としたことを特徴とするホタテ採取用漁具のアーム連結具である。
この第二の発明においては、上下方向の揺動に対しては特に制限はないが、小さな応力を生じて大きな揺動を可能とする方が望ましい一方、アーム軸の左右あるいは回転の揺動に対しては大きな応力を生じて海底面にある爪の左右の動きを小さく抑えるようにワイヤーが配設されていなければならない。
【０００８】
（３）ホタテ採取用漁具の本体にアームを取り付ける連結具であって、該連結具が二枚の上下板バネが前方端において平行に間隔を置いて接合されたものであり、その後部開放端の板バネ間中央にアームの屈曲端部が配置され、該屈曲端部を結合ブロックにより上下板バネと回動不能に緊締固定することにより、ホタテ採取操業時にアームから加えられる加重に応じて生じる板バネのバネ応力により、アーム軸が弾撥揺動可能としたことを特徴とするホタテ採取用漁具のアーム連結具である。
この第三の発明においては、板バネの縦バネ定数については特に制限はないが、小さく設定されて上下方向には大きな揺動を可能とする一方、横バネ定数はある程度大きく設定して捩れ回転の揺動は小さく抑えるのが好ましい。
【０００９】
（４）ホタテ採取用漁具の本体にアームを取り付ける連結具であって、該連結具が一枚の板バネが長短Ｕ字状に成形されたものであり、その長尺側後方端部の内面中央にアームの屈曲端部を結合ブロックを介して板バネに回動不能に緊締固定することにより、ホタテ採取操業時にアームから加えられる加重に応じて生じる板バネのバネ応力により、アーム軸が弾撥揺動可能としたことを特徴とするホタテ採取用漁具のアーム連結具である。
この第四の発明においては、縦バネ定数と横バネ定数を適当に設定することにより上下方向と捩れ回転方向の揺動の大きさを規制するものであるが、横バネ定数は回転揺動を小さく抑えるよう設定するのが好ましい。
【発明の効果】
【００１０】
これらの発明によれば、アーム軸は上下方向だけでなく左右方向の揺動または回転揺動をすることができ、アーム先端に取付けられた爪は海底の複雑な形状に追随して上下左右に揺動し海底面に係止することがなく、また、左右方向あるいは回転の揺動は小さく抑えられているので、隣り合う爪やアームが互いに接触することがないので、上記した課題を解決してホタテ採取用漁具の寿命を大きく延ばすことができるものである。
また、本発明に係る連結具は、その取付け組み立てをボルトナット締めにより簡単に行なうことができるので、船上での修理交換が可能となり、ホタテ採取の効率を高めることができるものである。
以下実施例により本発明を説明する。
【実施例１】
【００１１】
図１は第一の発明の連結具Ｊの実施例を示す側断面図であって、操業時に漁具が引張られる図面右方向を前方、左方向を後方（以下同じ）として、円筒状筐体１の後方側には後面蓋体２が溶接により筐体１と一体に固着されており、該後面蓋体２には中心が一致するように楕円形状の大開口７が開設されている。この大開口７から、海底面を掻き起こす爪を先端に有するアームＡの他端の屈曲端部Ｅが挿通され、さらに筐体１内に収容される該筐体１の内径より小径の圧縮コイルバネ４内を挿通して、圧縮コイルバネ４の他端面に面接する座板５に設けられたアームＡの軸径よりやや大きな内径を有する小開口８に挿通される。この屈曲端部Ｅは、結合ブロック９の凹陥部１２に密接嵌合して、結合ブロック９が、ボルトにより座板５に対して緊締固定されることにより、回動不能に結合される。
また、筐体１の上面側のフランジ１１に面接して上面蓋体３が４組のボルトナット１３により緊締されて連結具Ｊが構成されている。
この組み立て状態においては、圧縮コイルバネ４は自由長より短い長さとなるよう筐体１内に押し込まれた圧縮状態で収容されているので、座板５を介して結合ブロック９が上面蓋体３に対して圧接されて、アームＡ軸は大開口７の中心に位置することになる。
この上面蓋体３の外面には、連結具Ｊを漁具本体のフレームに取付けるためのクランプＣがボルト締めにより取付けられている。また、上面蓋体３の内面には、結合ブロック９の衝突の衝撃を緩和する緩衝体１４が設けられている。
【００１２】
図２は、図１のｘｘ矢視断面図であり、筐体１の内面の構造及び座板５の形状を示すものである。筐体１の内側面には円筒軸に平行に４本のガイドレール６が設けられており、また、筐体１の内径よりやや小径の座板５には該ガイドレール６に対応して４本のガイドレール溝１０が設けられており、ガイドレール６がガイドレール溝１０に係合することにより、座板５は筐体１に対して回動不能に筐体１内に遊嵌されることとなる。
以上の構成により、アームＡは座板５を介して筐体１に対してアーム軸回りに回動不能に漁具本体に連結されて、操業時の引張り力に応じて上下左右斜めのあらゆる方向に弾撥揺動可能となるものである。
【００１３】
なお、ガイドレール６及びガイドレール溝１０は、筐体１内での座板５の回動を防止するために設けられるものであるので、一組のみ設けることもでき、また、複数組設ける場合には、円周上に非対称に設けて、座板を特定の角度でのみ組み立て得るようにしてもよい（本実施例では９０度毎の回転により組み立て可能となるため、アーム及び爪が海底面以外の方向を向く可能性がある。）。
【００１４】
図３は、本実施例に用いられる結合ブロック９を示す斜視図であり、屈曲端部Ｅが密接嵌合し得る凹陥部１２が中央に設けられるとともに、四隅角部にはボルト貫通穴Ｈが穿設されている。屈曲端部Ｅが嵌合した結合ブロック９を座板５のボルト貫通穴Ｈに対応して設けられた雌ネジ孔に対してボルト締めすることにより、アームＡは座板５に対して回動不能に緊締固定される。
【００１５】
図４は、図１のｙｙ矢視断面図であって、アームＡの軸の揺動状態を説明するものである。すなわち、後面蓋体２に設けられた大開口７は、アーム軸径より充分大きな楕円形状とされており、その長径長さａは、アームＡの上下方向の揺動範囲を規制し、また短径長さｂは、左右方向の揺動範囲を規制する。
本実施例の、径ａは、操業時に充分な上下動が得られるように径ｂより大きく設定されているがｂとの大小関係も含め特に制限はない。一方、径ｂは、漁具本体に多数配置されるアームや爪が相互に接触衝突し得ない大きさに設定する必要があり、設計的に決定されるものである。
なお、大開口７の形状は、本実施例の楕円形状に限られるものではなく、左右の揺動範囲を小さく規制することができる形状のものであればよい。
【００１６】
大開口７のこの作用により、アーム先端に取付けられた爪は、ホタテ採取操業時に、複雑な海底面の変化に追随して揺動し得るので、海底の突起物などに係止固定されることがなく、したがって漁具に無理な荷重が加えられることがないので、漁具の破損消耗が低く抑えられるものである。
【実施例２】
【００１７】
図５は、第二の発明の実施例を示す斜視図であって、前部基板２１と後部基板２２の平行に配置された二枚の基板の間に、二本の高剛性金属ワイヤー３１，３２が平行に、クランプ止めにより基板に対して直角に展張されて連結具Ｊを構成している。
前部基板２１には、連結具Ｊを漁具本体のフレームに結合するためのクランプＣがボルト止めにより設けられている。
図６は、アームＡの取付け状態を示す要部の拡大断面図であり、後部基板２２の中央中心部にはアーム軸径よりやや大きな径を有する小開口２３が設けられており、この小開口２３に外方よりアームの屈曲端部Ｅが挿通されて、該屈曲端部Ｅは密接嵌合する凹陥部１２を有する結合ブロック９を介して、後部基板２２内面に対してボルト締めにより緊締固定される。これにより、アーム軸は後部基板２２に対して回動不能に結合される。
【００１８】
この連結具Ｊにおいては、図５のａに示すように、海底から爪に対する上下方向の抗力に応じて、後部基板が上下方向に弾撥揺動するとともに、海底面と接触する爪はアーム軸中心から外方に突き出す構成とされているので、爪に対する左右方向の抗力はアーム軸に対して捩じれ力を生じ、それに応じてｂのようにアームＡ軸とともに後部基板２２が回転する。一方、ワイヤー３１，３２はその剛性に応じて、この捩じれ力に対して、その捩じれを戻す応力を発生して、アームＡを所定位置に復帰させる。
以上の作用により、アームＡの上下動及び回動に応じて、アーム先端に位置する爪は、上下左右の揺動が可能となり、海底面に係止することなくホタテ採取が行なえるものである。
【００１９】
この回転揺動範囲ｂは隣接する爪やアームが互いに接触しない範囲とする必要があるが、ワイヤーの剛性やその配置位置等により設計的に定められるものである。本実施例は二本のワイヤーにより構成されているが、例えば三本あるいは四本のワイヤーを互いに平行に三角形状や長方形状となるように設けることによっても本発明を実施することができる。
【実施例３】
【００２０】
図７は第三の発明の実施例を示す斜視図であって、二枚の同一形状の長方形状の上板バネ５１と下板バネ５２が前方端部においてスペーサ５３を介して溶接などの手段により並行に一体に接合されて連結具Ｊが構成されている。
上下板バネの間隔は、アームＡの屈曲端部Ｅの屈曲長さよりやや大きく取り、また、上板バネ５１の後方開放端中央には、アームＡ軸とほぼ同径の係合穴５５が穿設されている。また、上板バネ５１にはボルト貫通口が設けられており、下板バネ５２には、対応する位置に雌ネジ孔が設けられている。
【００２１】
図８は、本実施例に用いられる結合ブロック９の斜視図であり、屈曲端部Ｅが密接嵌合し得る凹陥部１２が設けられるとともに四隅角部にはボルト貫通孔Ｈが穿設されている。  屈曲端部Ｅを板バネ５０の後方開放端に挿入して上方に持ち上げて係合穴５５に係合させるとともに、結合ブロック９をアームＡ軸下面に挿入して屈曲端部Ｅを凹陥部１２に密接嵌合させ、上板バネ５１上方からボルト貫通孔Ｈを通して下板バネ５２に対してボルト締めすることにより、屈曲端部Ｅは板バネ５０に対して回動不能に緊締固定される。
本実施例において、板バネ５０は上下方向ａに弾撥揺動するとともに、ｂに示すように捩じれ揺動により、アームＡ軸が回転弾撥揺動する。
【００２２】
これらの揺動の範囲ａ，ｂは板バネ５０の縦バネ定数及び横バネ定数により定まるものであり、実施例では上下板バネ５１，５２にくりぬき開口６０，６０を設けることにより、所望のバネ定数を実現しているが、上下板バネの厚さや積層枚数等他の要因とともに設計的に定められるものであるが、ｂがアームや爪が互いに接触衝突しない範囲となるよう横バネ定数が定められる必要があることはいうまでもない。
【００２３】
本実施例においては、上板バネ５１に係合穴５５が設けられてアームＡの回動を不能としているが、係合端部Ｅが回動不能に緊締固定できるものであればよく、例えば図９に示すように結合ブロックを対称形状となる二つの部分９’，９’により構成して、屈曲端部Ｅを左右より密接嵌合させることにより固定してもよい。
【実施例４】
【００２４】
図１０は、第四の発明の実施例を示す斜視図であって、二層に積層された一枚の板バネが長短Ｕ字状に屈曲されてＵ字バネ７０の連結具Ｊとされているものであり、Ｕ字バネ７０の短尺バネ片７２の上面には、連結具Ｊを漁具本体に取付けるクランプＣがボルト止めにより設けられている。
長尺バネ片７１の後方端部中央内面にアームＡの屈曲端部Ｅが結合ブロック９を介して長尺バネ片７１に対してボルト締めにより回動不能に緊締固定されている。
この結合ブロック９の底面にはアームＡの屈曲端部Ｅが嵌合する凹陥部１２並びに屈曲端部Ｅ端が挿入される係合穴５５が穿設されているので、結合ブロック９の四隅角部のボルト貫通口を通して長尺バネ片７１に対してボルト締めすることによりアームＡは回動不能に緊縮固定される。
【００２５】
本実施例のＵ字バネはａの上下弾撥揺動とｂの回転弾撥揺動が可能となるが、これらの範囲は縦バネ係数及び横バネ定数により定まるものであり、くりぬき開口６２を設けるなど設計的に定められるものである。これにより回転揺動ｂの範囲が規制されて、アームや爪の接触衝突を防止して本発明の課題が達成されるものである。
【００２６】
図１１は、アームＡとしてＳ字バネを採用した本発明連結具Ｊの操業の状態を示す側面図であり、海底の起伏に応じて先端に爪Ｒを有するアームＡがαの範囲を上下揺動する様子を示している。矢印Ｆは漁具の引張り方向を示す。
【００２７】
図１２は、図１１に示した状態を引張り方向Ｆ方向に向かって見た状態を示すものであり、アームＡの左右の揺動あるいは回転揺動に応じて隣り合う爪Ｒが互いに接触衝突することなく範囲βを左右に揺動する様子を示すものであり、この左右の揺動により爪が海底面の突起物を避けて係止されることがなく本発明の課題を達成するものである。
【００２８】
図１３は本発明に係る漁具本体の全体の概略を示す平面図であり、複数のアームＡ，Ａ，Ａ‥が、本発明連結具Ｊ，Ｊ，Ｊ‥を介してフレームに等間隔に一列に連結配置された様子を示すものであり、爪Ｒにより掻き起こされて浮遊するホタテ貝が後方に位置する網Ｗ中に採取されるものである。
【産業上の利用可能性】
【００２９】
本発明は、ホタテ採取業において用いられる漁具の寿命を大きく延ばすことができるものであり、漁業において有効に利用することができるものである。
また、本発明は、その実施において、ボルトナット等の簡便な手段により組み立てることが可能であるので、船上などの現場で修理保守が可能となり、操業の効率を高めることができ産業上の利用性が高い。
【図面の簡単な説明】
【００３０】
【図１】第一の実施例を示す一部を切断した断面図である。
【図２】第一の実施例の図１におけるｘｘ矢視断面図である。
【図３】第一の実施例における結合ブロックを示す斜視図である。
【図４】第一の実施例の図１におけるｙｙ矢斜断面図である。
【図５】第二の実施例を示す斜視図である。
【図６】第二の実施例の一部を示す拡大断面図である。
【図７】第三の実施例を示す斜視図である。
【図８】第三の実施例における結合ブロックを示す斜視図である。
【図９】第三の実施例における結合ブロックの他の態様を示す斜視図である。
【図１０】第四の実施例を示す斜視図である。
【図１１】本発明連結具の作動状態を示す側面図である。
【図１２】本発明連結具の作動状態を示す正面図である。
【図１３】本発明に係るホタテ採取漁具全体を示す平面図である。
【符号の説明】
【００３１】
１  筐体
４  圧縮コイルバネ
５  座板
７  大開口
９  結合ブロック
１２  凹陥部
２１  前部基板
２２  後部基板
３１  ワイヤー
３２  ワイヤー
５０  板バネ
７０  Ｕ字バネ
Ｊ  連結具
Ａ  アーム
Ｃ  クランプ
Ｒ  爪
【図１】
0003701293.tif 000002
【図２】
0003701293.tif 000003
【図３】
0003701293.tif 000004
【図４】
0003701293.tif 000005
【図５】
0003701293.tif 000006
【図６】
0003701293.tif 000007
【図７】
0003701293.tif 000008
【図８】
0003701293.tif 000009
【図９】
0003701293.tif 000010
【図１０】
0003701293.tif 000011
【図１１】
0003701293.tif 000012
【図１２】
0003701293.tif 000013
【図１３】
0003701293.tif 000014